(57)【要約】【課題】過去の任意の期間における監視対象の状態を表す状態情報を、時系列で効率的に再生することができる、監視システム及び監視方法を提供することである。【解決手段】実施形態の監視システムは、取得部と、抽出部と、再生部とを持つ。取得部は、監視対象の状態を表す状態情報と、当該状態となった時刻を示す時刻情報とが対応付けられたプロセス情報を取得する。抽出部は、監視対象の状態に所定の事象が発生した時刻を示す時刻情報を、プロセス情報から抽出する。再生部は、状態情報を時系列で再生する際、抽出されていない時刻情報に対応付けられたプロセス情報を再生する場合には、抽出された時刻情報に対応付けられた状態情報を再生する場合と比較して、速い速度で再生する。【選択図】図１
2018170035.tif 000002
【特許請求の範囲】
【請求項１】
監視対象の状態を表す状態情報と、当該状態となった時刻を示す時刻情報とが対応付けられたプロセス情報を取得する取得部と、
前記監視対象の状態に所定の事象が発生した時刻を示す時刻情報を、前記プロセス情報から抽出する抽出部と、
前記状態情報を時系列で再生する際、抽出されていない前記時刻情報に対応付けられた前記状態情報を再生する場合には、抽出された前記時刻情報に対応付けられた前記状態情報を再生する場合と比較して、速い速度で再生する再生部と、
を備える監視システム。
【請求項２】
前記再生部は、抽出されていない前記時刻情報に対応付けられた前記状態情報の再生をスキップして、抽出された前記時刻情報に対応付けられた前記状態情報を再生する、請求項１に記載の監視システム。
【請求項３】
前記抽出部は、複数の前記監視対象について、前記時刻情報を抽出する、請求項１又は請求項２に記載の監視システム。
【請求項４】
前記抽出部は、前記状態情報を表す値の変化率に基づいて、前記時刻情報を抽出する、請求項１から請求項３のいずれか一項に記載の監視システム。
【請求項５】
前記抽出部は、前記状態情報を表す値が閾値以上又は以下となった時刻を示す前記時刻情報を抽出する、請求項１から請求項４のいずれか一項に記載の監視システム。
【請求項６】
監視対象を撮像し、前記監視対象の画像情報を生成する撮像部と、
前記監視対象の状態を表す状態情報と、当該状態となった時刻を示す時刻情報と、前記画像データとが対応付けられたプロセス情報を取得する取得部と、
前記監視対象の状態に所定の事象が発生した時刻を示す時刻情報を、前記プロセス情報から抽出する抽出部と、
前記画像情報を時系列で再生する際、抽出されていない前記時刻情報に対応付けられた前記画像情報を再生する場合には、抽出された前記時刻情報に対応付けられた前記画像情報を再生する場合と比較して、速い速度で再生する再生部と、
を備える監視システム。
【請求項７】
監視システムにおける監視方法であって、
監視対象の状態を表す状態情報と、当該状態となった時刻を示す時刻情報とが対応付けられたプロセス情報を取得するステップと、
前記監視対象の状態に所定の事象が発生した時刻を示す時刻情報を、前記プロセス情報から抽出するステップと、
前記状態情報を時系列で再生する際、抽出されていない前記時刻情報に対応付けられた前記状態情報を再生する場合には、抽出された前記時刻情報に対応付けられた前記状態情報を再生する場合と比較して、速い速度で再生するステップと、
を含む監視方法。
【発明の詳細な説明】
【技術分野】
【０００１】
本発明の実施形態は、監視システム及び監視方法に関する。
【背景技術】
【０００２】
過去の任意の期間における監視対象の状態を表す状態情報を、画面上に時系列でグラフィカルに表示する再生機能（リプレイ機能）を有する監視システムがある。しかしながら、監視システムは、過去の任意の期間における監視対象の状態を表す状態情報を、時系列で効率的に再生できない場合がある。
【先行技術文献】
【特許文献】
【０００３】
【特許文献１】特開２００５−２２９８１８号公報
【発明の概要】
【発明が解決しようとする課題】
【０００４】
本発明が解決しようとする課題は、過去の任意の期間における監視対象の状態を表す状態情報を、時系列で効率的に再生することができる、監視システム及び監視方法を提供することである。
【課題を解決するための手段】
【０００５】
実施形態の監視システムは、取得部と、抽出部と、再生部とを持つ。取得部は、監視対象の状態を表す状態情報と、当該状態となった時刻を示す時刻情報とが対応付けられたプロセス情報を取得する。抽出部は、監視対象の状態に所定の事象が発生した時刻を示す時刻情報を、プロセス情報から抽出する。再生部は、状態情報を時系列で再生する際、抽出されていない時刻情報に対応付けられた状態情報を再生する場合には、抽出された時刻情報に対応付けられた状態情報を再生する場合と比較して、速い速度で再生する。
【図面の簡単な説明】
【０００６】
【図１】第１の実施形態における、監視システムの構成の第１例を示す図である。
【図２】第１の実施形態における、プロセス情報の第１例を示す図である。
【図３】第１の実施形態における、プロセスフロー画面の例を示す図である。
【図４】第１の実施形態における、コントローラ画面の例を示す図である。
【図５】第１の実施形態における、ダイアログ画面の例を示す図である。
【図６】第１の実施形態における、再生速度の第１例を示す図である。
【図７】第１の実施形態における、再生速度の第２例を示す図である。
【図８】第２の実施形態における、監視システムの構成の第２例を示す図である。
【図９】第２の実施形態における、プロセス情報の第２例を示す図である。
【発明を実施するための形態】
【０００７】
以下、実施形態の監視システム及び監視方法を、図面を参照して説明する。
（第１の実施形態）
図１は、第１の実施形態における、監視システム１の構成の第１例を示す図である。監視システム１は、監視対象１０−１〜１０−Ｎ（Ｎは、１以上の整数）と、制御装置２０と、サーバ装置３０と、監視装置４０と、表示装置５０とを備える。
監視対象１０は、監視システム１が監視する対象である。監視対象１０は、例えば、監視システム１が水処理プラントを監視する場合、ポンプ、濾過機、貯槽、調整機構（例えば、調整弁）などである。
【０００８】
制御装置２０は、監視対象１０−１〜１０−Ｎのそれぞれについて、監視対象１０−ｎ（ｎは、１〜Ｎのいずれかの整数）の状態を表す状態情報を含む信号を、監視対象１０−ｎから受信する。状態情報を含む信号は、デジタル信号、アナログ信号のいずれでもよく、どのような信号でもよい。
【０００９】
制御装置２０は、監視対象１０−ｎの状態を表す状態情報を、その状態となった時刻を示す時刻情報とを対応づける。状態情報は、例えば、値で表される。以下、状態情報を表す値を「プロセス値」という。プロセス値は、離散値、連続値のいずれでもよく、どのような値でもよい。制御装置２０は、監視対象１０−ｎの状態を表す状態情報と、その状態となった時刻を示す時刻情報とが対応づけられたプロセス情報を、サーバ装置３０に監視対象１０ごとに出力する。
【００１０】
サーバ装置３０は、ファイリングデータ部３１０を有する。ファイリングデータ部３１０は、制御装置２０から取得したプロセス情報を、ファイリングデータとして記憶する。ファイリングデータ部３１０は、ファイリングデータとして記憶しているプロセス情報を、監視装置４０に出力する。
【００１１】
図２は、第１の実施形態における、プロセス情報の第１例を示す図である。プロセス情報は、監視対象１０ごとに記憶されている。第１の実施形態におけるプロセス情報では、時刻情報と、監視対象１０−ｎの状態を表す状態情報とが対応づけられている。つまり、過去において、監視対象１０−ｎは、対応づけられた時刻情報が示す時刻に、対応づけられた状態情報が示す状態となっている。
【００１２】
図２に示す例では、時刻「００：００：１１」では、状態情報が「１２」であるのに対して、時刻「００：００：１２」では、状態情報が「２０」になり、状態情報の変化率が、他の時間帯と比較して相対的に高くなっている。また、図２に示す例では、予め定められた閾値（注目値）が「２５」である場合、状態情報がその閾値となった時刻は、時刻「００：００：２１」である。
【００１３】
なお、プロセス情報には、複数種類の状態情報が含まれていてもよい。例えば、水処理プラントであれば、プロセス情報には、複数種類の状態情報として、流量情報、水位情報、水圧情報、水温情報などが含まれていてもよい。
【００１４】
監視装置４０は、操作部４１０と、記憶部４２０と、制御部４３０と、プロセス情報取得部４４０と、抽出部４５０と、取得部４６０と、再生部４７０とを有する。制御部４３０と、プロセス値取得部４４０と、抽出部４５０と、取得部４６０と、再生部４７０とのうち一部または全部は、例えば、ＣＰＵ（Central Processing Unit）等のプロセッサが、記憶部４２０に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。記憶部４２０は、ＲＡＭ（Random Access Memory）やＲＯＭ（Read Only Memory）、フラッシュメモリ、ＨＤＤ（Hard Disk Drive）、レジスタ等を含む。
【００１５】
操作部４１０は、ユーザによる操作を受け付け、受け付けた操作に応じた信号を制御部４３０に出力する。ユーザは、一つ以上の監視対象１０の状態情報を表示装置５０の画面上に再生させる際に再生部４７０が参照する閾値（注目値）、関数、演算式などを定める操作を、操作部４１０を介して行うことが可能である。操作部４１０は、例えば、キーボード、マウス、タッチパネルである。
【００１６】
ユーザは、表示装置５０に表示されたコントローラ画面（後述する）やダイアログ画面（後述する）を見ながら、操作部４１０を操作する。例えば、ユーザは、操作部４１０がマウスである場合、コントローラ画面に表示された操作キーに対して、クリック操作を行うことにより、状態情報の再生を開始させる操作や、状態情報の再生を停止させる操作を、操作部４１０を介して行ってもよい。例えば、ユーザは、ダイアログ画面に表示された操作キーに対して、クリック操作を行うことにより、監視対象１０の識別情報や信号を指定する操作を、操作部４１０を介して行ってもよい。
【００１７】
記憶部４２０は、各種情報を記憶する。各種情報は、例えば、閾値（注目値）、関数、演算式、監視対象１０の識別情報である。また、各種情報は、数値シンボル画像データ、アイコン画像データ、プログラムデータでもよい。
【００１８】
制御部４３０は、操作に応じた信号を、操作部４１０から取得する。制御部４３０は、操作に応じた信号に基づいて、監視装置４０の各部を制御する。例えば、制御部４３０は、再生を開始させる操作に応じた信号を、操作部４１０から取得した場合、プロセス情報取得部４４０にプロセス情報を取得させる。
【００１９】
プロセス情報取得部４４０は、サーバ装置３０から、プロセス情報を取得する。プロセス情報取得部４４０は、複数の監視対象１０について、サーバ装置３０からプロセス情報を取得してもよい。プロセス情報取得部４４０は、プロセス情報を抽出部４５０に転送する。
【００２０】
抽出部４５０は、プロセス情報を解析し、ユーザが操作部４１０を介して指定した閾値（注目値）、関数、監視対象１０の識別情報などを含む演算式より定まる事象が発生した時刻を示す時刻情報を、プロセス情報から抽出する。抽出部４５０は、抽出した時刻情報を、再生部４７０に出力する。
【００２１】
例えば、抽出部４５０は、状態情報の変化率が閾値を超えた時刻を示す時刻情報、状態情報が閾値を上回った時刻を示す時刻情報、状態情報が閾値を下回った時刻を示す時刻情報などを、プロセス情報から抽出する。また、例えば、抽出部４５０は、指定された複数の監視対象１０の識別情報に基づいて、監視対象１０の状態情報Ｐ１と、他の監視対象１０の状態情報Ｐ２とが同じ値となった時刻を示す時刻情報を、プロセス情報から抽出してもよい。
【００２２】
取得部４６０は、ユーザが操作部４１０を介して指定した再生期間を示す情報を、再生部４７０から取得する。この再生期間は、例えば、所定の事象が発生した時刻を含む期間として、ユーザから指定される。なお、この再生期間は、所定の事象が発生したことを示す警告（アラーム）が通知された時刻を含む期間でもよい。取得部４６０は、取得した再生期間のプロセス情報をサーバ装置３０から取得し、取得したプロセス情報を再生部４７０に転送する。
【００２３】
表示装置５０は、コントローラ画面と、ダイアログ画面と、プロセスフロー画面とを表示する。表示装置５０は、画面にタッチパネルを有していてもよい。このタッチパネルは、ユーザによる操作を受け付け、その操作に応じた信号を、監視装置４０の制御部４３０や再生部４７０に出力してもよい。
【００２４】
図３は、第１の実施形態における、コントローラ画面２の例を示す図である。コントローラ画面２には、一例として、ラジオボタン２１と、ラジオボタン２２と、ラジオボタン２３と、再生速度表示領域２４と、開始操作キー２５と、停止操作キー２６と、確定操作キー２７とが表示されている。ラジオボタン２１と、ラジオボタン２２と、ラジオボタン２３と、開始操作キー２５と、停止操作キー２６と、確定操作キー２７とは、クリックなどの操作が可能に表示される。
【００２５】
ラジオボタン２１は、状態情報を再生する際に上限値を使うか否かを選択するためのボタンである。ラジオボタン２２は、状態情報を再生する際に下限値を使うか否かを選択するためのボタンである。ラジオボタン２３は、状態情報を再生する際に演算式を使うか否かを選択するためのボタンである。再生速度表示領域２４は、状態情報を再生する際の再生速度を表示する領域である。開始操作キー２５は、状態情報を再生する処理を開始させるための操作キーである。停止操作キー２６は、状態情報を再生する処理を停止させるための操作キーである。
【００２６】
確定操作キー２７は、選択操作を確定させるための操作キーである。例えば、状態情報を再生する際に演算式を使うことがラジオボタン２３を介して選択され、確定操作キー２７がクリック操作された場合、表示装置５０は、ダイアログ画面を表示する。
【００２７】
図４は、第１の実施形態における、ダイアログ画面３の例を示す図である。ダイアログ画面３には、一例として、演算式入力領域３１と、リスト表示領域３２と、ソフトウェアキーボード３３と、切替操作キー３４と、戻る操作キー３５とが表示される。
【００２８】
演算式入力領域３１は、抽出部４５０が使用する演算式が入力される領域である。抽出部４５０は、演算式が成立する時刻を示す時刻情報を、プロセス情報から抽出する。演算式には、例えば、監視対象１０の識別情報の状態を表す状態情報Ｐ１と、他の監視対象１０の識別情報の状態を表す状態情報Ｐ２と、所定の数学記号とが含まれる。また、演算式には、ソフトウェアキーボード３３や操作部４１０を介してユーザにより指定された関数が含まれていてもよい。
【００２９】
リスト表示領域３２は、プロセスフロー画面に再生することが可能な状態情報をリスト表示するための領域である。ユーザは、リスト表示領域３２にプルダウンメニューとして表示された状態情報をクリック操作することにより、再生する状態情報をリストから選択して、演算式入力領域３１に入力することができる。
【００３０】
ソフトウェアキーボード３３は、テンキーや関数に対応付けられた操作キーを、操作可能に表示する。ユーザは、ソフトウェアキーボード３３に表示された操作キーをクリック操作することにより、その操作キーに対応付けられた値などを、演算式入力領域３１に入力することができる。
切替操作キー３４は、ソフトウェアキーボード３３に表示する操作キーを切り替えるための操作キーである。
戻る操作キー３５は、ダイアログ画面３の表示を終了させて、コントローラ画面２を表示装置５０に表示させるための操作キーである。
【００３１】
図５は、第１の実施形態における、プロセスフロー画面４の例を示す図である。プロセスフロー画面４は、監視システム１が監視する対象である一つ以上の監視対象１０の状態を表す状態情報を、時系列で表示するための画面である。つまり、プロセスフロー画面４には、監視対象１０に発生した事象を模式的に再現する動画像が表示される。
【００３２】
再生部４７０は、取得部４６０から取得したプロセス情報に基づいて、表示装置５０のプロセスフロー画面４に、状態情報を時系列で再生する。図５に示すプロセスフロー画面４には、一例として、数値シンボル１００と、ポンプアイコン１１０と、調整機構アイコン１２０と、貯槽アイコン１３０とが表示されている。
【００３３】
数値シンボル１００は、状態情報を示すシンボルである。ポンプアイコン１１０は、監視対象１０の一例としてのポンプを示すアイコンである。調整機構アイコン１２０は、監視対象１０の一例としての調整機構（例えば、調整弁）を示すアイコンである。貯槽アイコン１３０は、監視対象１０の一例としての貯槽を示すアイコンである。
【００３４】
図６は、第１の実施形態における、再生速度の第１例を示す図である。図６において、横軸は再生時刻を示す。縦軸は状態情報を示す。再生部４７０は、プロセスフロー画面４に状態情報を時系列で再生する際、抽出部４５０により抽出されていない時刻情報に対応付けられた状態情報を再生する場合には、抽出部４５０により抽出された時刻情報に対応付けられた状態情報を再生する場合と比較して、速い速度で再生する。
【００３５】
抽出部４５０は、例えば、状態情報Ｐ１を示す値の変化率に基づいて、時刻情報を抽出する。例えば、抽出部４５０は、状態情報Ｐ１を示す値の変化率が相対的に高くなった時刻情報を抽出する。図６では、変化率が相対的に高くなった時刻情報を再生する再生時刻（時間帯）は、「００：００：１０〜００：００：１３」と、「００：００：３６〜００：００：３９」とである。これらの時間帯を再生する場合、再生部４７０は、相対的に高速（例えば、１倍速を超える再生速度）で、プロセスフロー画面４に状態情報Ｐ１を再生する。なお、再生部４７０は、これらの時間帯における状態情報Ｐ１の再生をスキップして、他の時間帯における状態情報Ｐ１を再生してもよい。
【００３６】
抽出部４５０は、例えば、演算式入力領域３１に入力された演算式などに基づいて、状態情報Ｐ１を示す値が閾値（例えば、値「２５」）以上又は以下となった時刻を示す時刻情報を抽出する。例えば、抽出部４５０は、状態情報Ｐ１を示す値が閾値「２５」以上となった時刻情報を抽出する。図６では、閾値「２５」以上又は以下となった時刻情報を再生する再生時刻（時間帯）は、「００：００：２０〜００：００：２３」と、「００：００：２８〜００：００：３１」とである。これらの時間帯における状態情報Ｐ１を再生する場合、再生部４７０は、相対的に低速（例えば、１倍速の再生速度）で、プロセスフロー画面４に状態情報Ｐ１を再生する。
【００３７】
図７は、第１の実施形態における、再生速度の第２例を示す図である。図７において、横軸は再生時刻を示す。縦軸は状態情報を示す。抽出部４５０は、例えば、状態情報Ｐ１又は状態情報Ｐ２を示す値の変化率に基づいて、時刻情報を抽出する。また、抽出部４５０は、演算式入力領域３１に入力された演算式などに基づいて、状態情報Ｐ１を示す値が状態情報Ｐ２以上又は以下となった時刻を示す時刻情報を抽出する。例えば、抽出部４５０は、状態情報Ｐ１（プロセス値）が状態情報Ｐ２（他のプロセス値）以上となった時刻情報を抽出する。図７では、状態情報Ｐ１が状態情報Ｐ２以上又は以下となった時刻情報を再生する再生時刻（時間帯）は、「００：００：２０〜００：００：２３」と、「００：００：２８〜００：００：３１」とである。これらの時間帯における状態情報Ｐ１及び状態情報Ｐ２を再生する場合、再生部４７０は、相対的に低速（例えば、１倍速の再生速度）で、プロセスフロー画面４に状態情報Ｐ１及び状態情報Ｐ２を再生する。
【００３８】
以上のように、第１の実施形態の監視システム１は、プロセス情報取得部４４０と、抽出部４５０と、再生部４７０とを持つ。プロセス情報取得部４４０は、監視対象１０−１〜１０−Ｎの状態を表す状態情報と、当該状態となった時刻を示す時刻情報とが対応付けられたプロセス情報を取得する。抽出部４５０は、監視対象１０−１〜１０−Ｎの状態に所定の事象（例えば、状態情報が閾値以上となる事象）が発生した時刻を示す時刻情報を、プロセス情報から抽出する。再生部４７０は、状態情報を時系列で再生する際、抽出されていない時刻情報に対応付けられた状態情報を再生する場合には、抽出された時刻情報に対応付けられた状態情報を再生する場合と比較して、速い速度で再生する。
【００３９】
第１の実施形態の監視システム１における監視方法は、プロセス情報を取得するステップと、プロセス情報から抽出するステップと、速い速度で再生するステップとを含む。プロセス情報を取得するステップは、監視対象１０−１〜１０−Ｎの状態を表す状態情報と、当該状態となった時刻を示す時刻情報とが対応付けられたプロセス情報を取得するステップである。プロセス情報から抽出するステップは、監視対象１０−１〜１０−Ｎの状態に所定の事象が発生した時刻を示す時刻情報を、プロセス情報から抽出するステップである。速い速度で再生するステップは、状態情報を時系列で再生する際、抽出されていない時刻情報に対応付けられた状態情報を再生する場合には、抽出された時刻情報に対応付けられた状態情報を再生する場合と比較して、速い速度で再生するステップである。
【００４０】
この構成により、再生部４７０は、状態情報を時系列で再生する際、抽出されていない時刻情報に対応付けられた状態情報を再生する場合には、抽出された時刻情報に対応付けられた状態情報を再生する場合と比較して、速い速度で再生する。つまり、再生部４７０は、抽出された時刻情報であるか否かに応じた再生速度で、状態情報を再生する。例えば、再生部４７０は、抽出されていない時刻情報に対応付けられた状態情報を再生する場合には、再生速度を速くする。
これにより、第１の実施形態の監視システム１及び監視方法は、過去の任意の期間における監視対象の状態を表す状態情報を、時系列で効率的に再生することができる。
【００４１】
再生部４７０を有していない監視システムは、ユーザが指定した期間における過去から現在に向けて、固定時間ずつ（例えば、１分ずつ）、一定の周期で、状態情報を再生する再生時刻を進めていた。つまり、再生部４７０を有していない監視システムは、プロセスフロー画面において、最初から最後まで同じ再生速度で、状態情報を時系列で再生していた。このため、再生部４７０を有していない監視システムは、ある特定の状態情報（例えば、ポンプの流量）が大きく変化した事象や、状態情報が上限値などの特定の値を示した事象を確認したい場合、その事象が発生するまで再生し続けなければならず、ユーザが事象を確認できるまで時間がかかっていた。これに対し、第１の実施形態の監視システム１は、プロセスフロー画面４において、特定の状態情報に注目した動作を実行するので、監視対象１０の状態情報を時系列で効率的に再生することができる。
【００４２】
第１の実施形態の監視システム１は、ユーザが注目している任意の状態情報の変化と、状態情報を再生する再生速度の変化とを連動させることにより、ユーザが注目している信号の変化に注目した再生を行うことができる。
第１の実施形態の監視システム１は、再生時の再生速度の変化の制御として、状態情報の変化率が小さい時間帯についての再生速度を相対的に速くし、変化率が大きい時間帯についての再生速度を相対的に遅くすることにより、再生に要する時間を短くしながら、監視対象１０の状態をユーザに効率的に観察させることができる。
第１の実施形態の監視システム１は、状態情報の変化率が大きい時間帯についての再生速度を遅くする。これにより、ユーザは、注目している状態情報の顕著な変化を見逃すことが少なくなる。
【００４３】
再生部４７０は、抽出されていない時刻情報に対応付けられた状態情報の再生をスキップして、抽出された時刻情報に対応付けられた状態情報を再生する。
抽出部４５０は、複数の監視対象１０について、時刻情報を抽出する。
抽出部４５０は、状態情報を表す値の変化率に基づいて、時刻情報を抽出する。
抽出部４５０は、状態情報を表す値が閾値（注目値）以上又は以下となった時刻を示す時刻情報を抽出する。
【００４４】
（第２の実施形態）
第２実施形態では、撮像された監視対象の画像情報を監視システム１が再生する点が、第１の実施形態と相違する。第２の実施形態では、第１の実施形態との相違点についてのみ説明する。
【００４５】
図８は、第２の実施形態における、監視システム１の構成の第２例を示す図である。監視システム１は、第１の実施形態と比較して、撮像装置６０を更に備える。
撮像装置６０は、監視対象１０−ｎを撮像し、監視対象１０−ｎの画像情報を生成する。撮像装置６０は、生成した画像情報を、制御装置２０に出力する。
【００４６】
制御装置２０は、監視対象１０−ｎの状態を表す状態情報と、その状態となった時刻を示す時刻情報と、撮像装置６０が生成した画像情報とが対応づけられたプロセス情報を、サーバ装置３０に監視対象１０ごとに出力する。
【００４７】
図９は、第２の実施形態における、プロセス情報の第２例を示す図である。第２の実施形態におけるプロセス情報では、時刻情報と、監視対象１０−ｎの状態を表す状態情報と、画像情報とが対応づけられている。画像情報ＶＭ（Ｍは任意の整数）は、プロセス情報に対応づけられた監視対象１０−ｎを、対応づけられた時刻情報が示す時刻に撮像した動画像を表す情報である。
【００４８】
再生部４７０は、取得部４６０から取得したプロセス情報に基づいて、表示装置５０のプロセスフロー画面４に、画像情報を時系列で再生する。再生部４７０は、状態情報としての画像情報を時系列で再生する際、抽出されていない時刻情報に対応付けられた画像情報を再生する場合には、抽出された時刻情報に対応付けられた画像情報を再生する場合と比較して、速い速度で再生する。なお、再生部４７０は、抽出されていない時刻情報に対応付けられた画像情報をスキップして、他の時間帯における画像情報を再生してもよい。
【００４９】
以上のように、第２の実施形態の監視システム１は、撮像装置６０と、プロセス情報取得部４４０と、抽出部４５０と、再生部４７０とを持つ。撮像装置６０は、監視対象１０−１〜１０−Ｎを撮像し、監視対象の画像情報を生成する。プロセス情報取得部４４０は、監視対象の状態を表す状態情報と、当該状態となった時刻を示す時刻情報と、画像データとが対応付けられたプロセス情報を取得する。抽出部４５０は、監視対象の状態に所定の事象が発生した時刻を示す時刻情報を、プロセス情報から抽出する。再生部４７０は、状態情報としての画像情報を時系列で再生する際、抽出されていない時刻情報に対応付けられた画像情報を再生する場合には、抽出された時刻情報に対応付けられた画像情報を再生する場合と比較して、速い速度で再生する。
【００５０】
以上説明した少なくともひとつの実施形態の監視システム１は、状態情報を時系列で再生する際、抽出されていない時刻情報に対応付けられた状態情報を再生する場合には、抽出された時刻情報に対応付けられた状態情報を再生する場合と比較して、速い速度で再生する再生部４７０を持つことにより、過去の任意の期間における監視対象の状態を表す状態情報を、時系列で効率的に再生することができる。
【００５１】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１…監視システム、２…コントローラ画面、３…ダイアログ画面、４…プロセスフロー画面、１０…監視対象、２０…制御装置、３０…サーバ装置、２１…ラジオボタン、２２…ラジオボタン、２３…ラジオボタン、２４…再生速度表示領域、２５…開始操作キー、２６…停止操作キー、２７…確定操作キー、３１…演算式入力領域、３２…リスト表示領域、３３…ソフトウェアキーボード、３４…切替操作キー、３５…戻る操作キー、４０…監視装置、５０…表示装置、６０…撮像装置、１００…数値シンボル、１１０…ポンプアイコン、１２０…調整機構アイコン、１３０…貯槽アイコン、３１０…ファイリングデータ部、４１０…操作部、４２０…記憶部、４３０…制御部、４４０…プロセス情報取得部、４５０…抽出部、４６０…取得部、４７０…再生部、Ｐ１…状態情報、Ｐ２…状態情報
【図１】
2018170035.tif 000003
【図２】
2018170035.tif 000004
【図３】
2018170035.tif 000005
【図４】
2018170035.tif 000006
【図５】
2018170035.tif 000007
【図６】
2018170035.tif 000008
【図７】
2018170035.tif 000009
【図８】
2018170035.tif 000010
【図９】
2018170035.tif 000011
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
監視対象の状態を表す状態情報と前記状態になった時刻を示す時刻情報とが対応付けられたプロセス情報に基づいて前記状態情報を時系列で再生する再生部を備え、
前記再生部は、前記状態情報が所定の条件を満たす場合、前記所定の条件を満たす第１の状態情報に対応付けられた時刻情報が示す時刻よりも前の時刻から、再生速度を変更する、
監視情報再生装置。
【請求項２】
監視対象の状態を表す状態情報と前記状態になった時刻を示す時刻情報とが対応付けられたプロセス情報に基づいて前記状態情報を時系列で再生する再生部を備え、
前記再生部は、再生される状態情報を表す第１の状態情報が予め指定された状態情報と同じ状態情報である場合、前記第１の状態情報に対応付けられた時刻情報が示す時刻よりも前の時刻から、再生速度を変更する、
監視情報再生装置。
【請求項３】
前記再生部は、抽出されていない前記時刻情報に対応付けられた前記状態情報の再生をスキップして、抽出された前記時刻情報に対応付けられた前記状態情報を再生する、請求項１又は２に記載の監視情報再生装置。
【請求項４】
前記再生速度は、前記第１の状態情報に対応付けられた時刻情報が示す時刻よりも前の時刻における再生速度よりも低速である、
請求項１から３のいずれか一項に記載の監視情報再生装置。
【請求項５】
前記前の時刻とは、前記再生される状態情報に対応付けられた時刻情報よりも予め定められた時間だけ早い時刻である、
請求項１から４のいずれか一項に記載の監視情報再生装置。
【請求項６】
監視情報再生装置が、監視対象の状態を表す状態情報と前記状態になった時刻を示す時刻情報とが対応付けられたプロセス情報に基づいて前記状態情報を時系列で再生する再生ステップを有し、
監視情報再生装置が、前記再生ステップにおいては、前記状態情報が所定の条件を満たす場合、前記所定の条件を満たす第１の状態情報に対応付けられた時刻情報が示す時刻よりも前の時刻から、再生速度を変更する、
監視情報再生方法。
【請求項７】
監視情報再生装置が、監視対象の状態を表す状態情報と前記状態になった時刻を示す時刻情報とが対応付けられたプロセス情報に基づいて前記状態情報を時系列で再生する再生ステップを有し、
監視情報再生装置が、前記再生ステップにおいては、再生される状態情報を表す第１の状態情報が予め指定された状態情報と同じ状態情報である場合、前記第１の状態情報に対応付けられた時刻情報が示す時刻よりも前の時刻から、再生速度を変更する、
監視情報再生方法。
【請求項８】
請求項１から５のいずれか一項に記載の監視情報再生装置としてコンピュータを機能させるためのコンピュータプログラム。
【手続補正２】
【補正対象書類名】明細書
【補正対象項目名】０００１
【補正方法】変更
【補正の内容】
【０００１】
本発明の実施形態は、監視情報再生装置、監視情報再生方法及びコンピュータプログラムに関する。
【手続補正３】
【補正対象書類名】明細書
【補正対象項目名】０００４
【補正方法】変更
【補正の内容】
【０００４】
本発明が解決しようとする課題は、過去の任意の期間における監視対象の状態を表す状態情報を、時系列で効率的に再生することができる、監視情報再生装置、監視情報再生方法及びコンピュータプログラムを提供することである。
【手続補正４】
【補正対象書類名】明細書
【補正対象項目名】０００５
【補正方法】変更
【補正の内容】
【０００５】
実施形態の監視情報再生装置は、再生部を持つ。再生部は、監視対象の状態を表す状態情報と前記状態になった時刻を示す時刻情報とが対応付けられたプロセス情報に基づいて前記状態情報を時系列で再生する。前記再生部は、前記状態情報が所定の条件を満たす場合、前記所定の条件を満たす第１の状態情報に対応付けられた時刻情報が示す時刻よりも前の時刻から、再生速度を変更する。
【手続補正５】
【補正対象書類名】明細書
【補正対象項目名】０００７
【補正方法】変更
【補正の内容】
【０００７】
以下、実施形態の監視情報再生装置、監視情報再生方法及びコンピュータプログラムを、図面を参照して説明する。
（第１の実施形態）
図１は、第１の実施形態における、監視システム１の構成の第１例を示す図である。監視システム１は、監視対象１０−１〜１０−Ｎ（Ｎは、１以上の整数）と、制御装置２０と、サーバ装置３０と、監視装置４０と、表示装置５０とを備える。
監視対象１０は、監視システム１が監視する対象である。監視対象１０は、例えば、監視システム１が水処理プラントを監視する場合、ポンプ、濾過機、貯槽、調整機構（例えば、調整弁）などである。